(57)【要約】【課題】方立に簡単に取り付けでき且つ足場解体時には容易に撤去できる足場つなぎ具及び外壁を提供する。【解決手段】本発明にかかる足場つなぎ具９は、保持部材１４と、固定ボルト１３と、ナット１５とを備え、保持部材１４は、左右の側壁１７、１７と底壁１９からなる略コ字形状であり、底壁１９に方立７の前壁見付面８ｃに固定する固定部２１を有し、固定ボルト１３は頭部１３ａを保持部材１４の側壁１７、１７の基端部及び底壁１９に形成した切除部２３に回り止めし、ボルト部１３ｂの先端を側壁１７、１７よりも足場側に突出して保持部材１４に保持されており、ナット１５は足場側及び方立側にねじ込み部を有し、足場側ねじ込み部２９ａは足場側ボルト１１をねじ込むものであり、方立側ねじ込み部２９ｂに固定ボルト１３がねじ込んである。【選択図】図１
2018138732.tif 000002
【特許請求の範囲】
【請求項１】
保持部材と、固定ボルトと、ナットとを備え、保持部材は、左右の側壁と底壁からなる略コ字形状であり、底壁に方立の前壁見付面に固定する固定部を有し、固定ボルトは頭部を保持部材の側壁の基端部及び底壁に形成した切除部に回り止めし、ボルト部の先端を側壁よりも足場側に突出して保持部材に保持されており、ナットは足場側及び方立側にねじ込み部を有し、足場側ねじ込み部は足場側ボルトをねじ込むものであり、方立側ねじ込み部に固定ボルトがねじ込んであることを特徴とする足場つなぎ具。
【請求項２】
足場と方立を請求項１に記載の足場つなぎ具で連結したことを特徴とする外壁。
【発明の詳細な説明】
【技術分野】
【０００１】
本発明は、足場つなぎ具及び外壁に関する。
【背景技術】
【０００２】
特許文献１には、上下に配置した方立の中空内に挿入して上下の方立を連結するスリーブジョイントに、予め足場側ボルトの挿入孔を形成しておくと共に挿入孔に対応した位置に足場側ボルトが螺合するナットを溶接固定することが開示されている。
【先行技術文献】
【特許文献】
【０００３】
【特許文献１】特開２００３−３４３０８２号公報
【発明の概要】
【発明が解決しようとする課題】
【０００４】
しかし、特許文献１の技術では、足場側ボルトの取付け位置が限られていると共に、スリーブジョイントに予め孔をあけたり、ナットを溶接しておく必要があるので、足場側ボルトの取付けの為の作業が面倒になるという問題があった。  
これに対して、ビル等の施工現場において足場と方立を容易に連結でき、しかも足場解体時には容易に撤去できるものが求められていた。  
【０００５】
そこで、本発明は、方立に簡単に取り付けでき且つ足場解体時には容易に撤去できる足場つなぎ具及び外壁の提供を目的とする。
【課題を解決するための手段】
【０００６】
請求項１に記載の発明は、保持部材と、固定ボルトと、ナットとを備え、保持部材は、左右の側壁と底壁からなる略コ字形状であり、底壁に方立の前壁見付面に固定する固定部を有し、固定ボルトは頭部を保持部材の側壁の基端部及び底壁に形成した切除部に回り止めし、ボルト部の先端を側壁よりも足場側に突出して保持部材に保持されており、ナットは足場側及び方立側にねじ込み部を有し、足場側ねじ込み部は足場側ボルトをねじ込むものであり、方立側ねじ込み部に固定ボルトがねじ込んであることを特徴とする足場つなぎ具である。
【０００７】
請求項２に記載の発明は、足場と方立を請求項１に記載の足場つなぎ具で連結したことを特徴とする外壁である。
【発明の効果】
【０００８】
請求項１及び２に記載の発明によれば、固定ボルトの頭部を回り止めした保持部材の底壁を固定部により方立の前壁見付面に固定し、固定ボルトのボルト部を方立側ねじ込み部にねじ込んでナットを取り付ける構成であるから、方立への取り付けが簡単にできる。  
また、足場解体時には、足場側ボルトをナットから外すことで、容易に撤去できる。尚、保持部材及びナットは方立に取り付けたままであるが、これらは方立に取り付けた左右の補助材により隠れるので、そのまま残す。  
【図面の簡単な説明】
【０００９】
【図１】本実施の形態にかかる足場つなぎ具を方立に取り付けた状態を示す横断面図である。
【図２】ナットを取り付けた保持部材の図であり、（ａ）は斜視図、（ｂ）は側面図、（ｃ）は底面図である。
【図３】（ａ）は図４に示す建物の方立と補助材と無目を抜き出して示す斜視図であり、（ｂ）は（ａ）に示すＥ部の拡大図である。
【図４】建物に足場を組んだ状態を示す図であり、（ａ）は正面図、（ｂ）は（ａ）に示すＢ−Ｂ断面図、（ｃ）は（ａ）に示すＣ−Ｃ断面図である。
【発明を実施するための形態】
【００１０】
以下に、添付図面を参照して本発明の実施の形態を説明する。  
図４に、建築中のカーテンウォール工法の建物１を示す。この建物１の周囲には、足場３が組んである。建物１には、その外壁５を構成する方立７に足場つなぎ具９（図３参照）が固定してあり、足場つなぎ具９に足場３に固定した足場側ボルト１１を連結している。また、図３に示すように、方立７には、その前側に無目１０及び補助材１６が固定されている。  
本実施の形態では、足場つなぎ具９は、図４（ｂ）（ｃ）及び図３に示すように、建物１の各階の天井付近及びフロアー付近で所定の方立７に取り付けてある。  
【００１１】
図１及び図２に示すように、足場つなぎ具９は、保持部材１４と、固定ボルト１３と、ナット１５とを備えている。  
保持部材１４は、左右の側壁１７、１７と底壁１９からなる略コ字形状であり、底壁１９には方立７の前壁見付面８ｃ（図１参照）に固定する固定部２１が設けてある。固定部２１は、底壁１９の長手方向に間隔をあけて設けたねじ挿通孔部２６と、ねじ挿通孔部２６に挿通して方立７の前壁見付面８ｃに止める固定ねじ２５とで構成している。  
図２（ｃ）に示すように、左右の側壁１７、１７は、互いに対向する対向面間の間隔Ｗ１が固定ボルト１３の頭部１３ａの最小径Ｈよりも狭くしてある。また、本実施の形態では、固定ボルト１３の頭部１３ａの最小径Ｈは左右の側壁１７、１７の外側面間の間隔Ｗ２と略同じにしてある。  
底壁１９の長手方向略中央部には、底壁１９及び両側壁１７、１７の基端部１７ｃに固定ボルト１３の頭部１３ａを嵌める切除部２３が形成されている。  
各左右の側壁１７、１７には、足場側に突設した垂直面部１７ａと、垂直面部１７ａを挟む両側には傾斜面部１７ｂとが形成されている。傾斜面部１７ｂは垂直面部１７ａから底壁１９側に向けて低くなるように傾斜している。  
垂直面部１７ａには、切除部２３に対応した位置に、底壁１９側に凹んだ凹部２７が形成してある。  
【００１２】
固定ボルト１３は、その頭部１３ａを保持部材１４の切除部２３に嵌めて回り止めしてある。固定ボルト１３のボルト部（軸部）１３ｂの先端は、保持部材１４の側壁１７、１７の垂直面部１７ａ、１７ａよりも足場側に突出している。  
【００１３】
ナット１５は、高ナットであり、図２（ａ）（ｂ）に示すように、ナット１５の方立側端部１５ａは保持部材１４の側壁１７、１７に形成した凹部２７に配置してある。
ナット１５は、足場側ねじ込み部２９ａ及び方立側ねじ込み部２９ｂを有し、足場側ねじ込み部２９ａと方立側ねじ込み部２９ｂは連続するねじ溝である。  
足場側ねじ込み部２９ａは足場側ボルト１１をねじ込むものであり、方立側ねじ込み部２９ｂには固定ボルト１３のボルト部１３ｂがねじ込んである。  
【００１４】
次に、足場つなぎ具９の組み立て及び取り付けについて説明する。  
図２に示すように、まず、保持部材１４の底壁１９の切除部２３に、底壁１９の裏側から固定ボルト１３のボルト部１３ｂを挿通して、切除部２３に固定ボルト１３の頭部１３ａを嵌める。固定ボルト１３のボルト部１３ｂの先端は側壁１７、１７よりも突出する。ボルト部１３ｂには、ナット１５の方立側ねじ込み部２９ｂをねじ込んで、固定ボルト１３にナット１５を取り付ける。  
図１及び図３に示すように、保持部材１４に固定ボルト１３及びナット１５を組み付けた状態にして、方立７の前壁見付面８ａに、保持部材１４の底壁１９を当接して、底壁１９に設けたねじ挿通孔部２６に固定ねじ２５の軸を挿通して方立７の前壁見付面８ｃにねじ込む。これにより、図１及び図３（ｂ）に示すように、足場つなぎ具９の取り付けが完了する。  
一方、足場側ボルト１１の取付けは、図１に示すように、ナット１５の足場側ねじ込み部２９ａに足場側ボルト１１をねじ込んで取り付ける。  
【００１５】
足場３を解体するときには、ナット１５にねじ込んだ足場側ボルト１１をナット１５から外す。  
一方、図３（ｂ）及び図１に示すように、足場解体時、保持部材１４、保持部材１４に回り止めした固定ボルト１３及びナット１５は方立７に取り付けてある左右の補助材１６に隠れるため、残したままにする。  
【００１６】
次に、足場つなぎ具９の作用効果を説明する。  
本実施の形態にかかる足場つなぎ具９によれば、固定ボルト１３の頭部１３ａを回り止めした保持部材１４の底壁１９を、固定部２１により方立７の前壁見付面８ａに固定し、固定ボルト１３のボルト部１３ｂにナット１５の方立側ねじ込み部２９ｂをねじ込んで、ナット１５を取り付ける構成であるから、方立７への取り付けが簡単にできる。  
また足場解体時には、足場側ボルト１１をナット１５から外すだけであり、保持部材１４、保持部材１４に回り止めした固定ボルト１３及びナット１５は方立７に取り付けてある左右の補助材１６に隠れるため、残したままにできるから、取扱い易い。  
足場つなぎ具９は、方立７の前側のみから取り付けでき、方立７の中空部１２（図３ｂ参照）に足場つなぎ具９を設けることがないので、方立７への足場つなぎ具９の取り付けが容易である。  
【００１７】
保持部材１４の側壁１７、１７にはナット１５を取り付ける位置に凹部２７を形成しているので、ナット１５の位置決めがし易い。  
保持部材１４は方立７の前壁見付面８ａに底壁１９の固定部２１を固定するだけであるから、方立７の種類やサイズに影響されにくく、様々な方立７に用いることが可能である。  
【００１８】
本発明は、上述した実施の形態に限らず、本発明の要旨を逸脱しない範囲で種々変形可能である。  
保持部材１４の底壁１９に設けた固定部２１は、固定ねじ２５で固定することに限らず、ボルトナットや接着剤等による固定であっても良い。  
【符号の説明】
【００１９】
３    足場
５    外壁
７    方立
８ｃ  前壁見付面
９    足場つなぎ具
１１  足場側ボルト
１３  固定ボルト
１３ａ  頭部
１４  保持部材
１５  ナット
１７  側壁
１９  底壁
２１  固定部
２３  切除部
２９ａ    足場側ねじ込み部
２９ｂ    方立側ねじ込み部
【図１】
2018138732.tif 000003
【図２】
2018138732.tif 000004
【図３】
2018138732.tif 000005
【図４】
2018138732.tif 000006